(57)【要約】      （修正有）【課題】複数の線画像が重なった場合であっても、線画像の連続性が無くなることを抑制することができる画像処理装置を提供する。【解決手段】画像形成装置２００において、画像処理装置１００は、画像読取部１０と、線画像検出部２２と、重複部分検出部２４と、画像処理部２６とを備える。画像読取部１０は、原稿Ｍの画像を読み取って読取画像を取得する。線画像検出部２２は、読取画像に含まれる複数の線画像を検出する。重複部分検出部２４は、複数の線画像のうち第１線画像と第２線画像との重複部分を検出する。画像処理部２６は、重複部分に対して画像処理を行う。【選択図】図１
2019101599.tif 000002
【特許請求の範囲】
【請求項１】
原稿の画像を読み取って読取画像を取得する画像読取部と、
前記読取画像に含まれる複数の線画像を検出する線画像検出部と、
前記複数の線画像のうち第１線画像と第２線画像との重複部分を検出する重複部分検出部と、
前記重複部分に対して画像処理を行う画像処理部と
を備える、画像処理装置。
【請求項２】
前記第１線画像は、第１色を有し、
前記第２線画像は、前記第１色とは異なる第２色を有し、
前記画像処理部は、
前記重複部分を第１領域と第２領域とに分割し、
前記画像処理として、前記第１領域の色を前記第１色に設定するとともに、前記第２領域の色を前記第２色に設定する、請求項１に記載の画像処理装置。
【請求項３】
前記第１線画像は、第１色を有し、
前記第２線画像は、前記第１色とは異なる第２色を有し、
前記画像処理部は、
前記重複部分に隣接して前記重複部分に沿って延びる隣接領域を形成し、
前記画像処理として、前記重複部分を前記第１色または前記第２色のうちのいずれか一方の色に設定するとともに、前記隣接領域を前記第１色または前記第２色のうちの他方の色に設定する、請求項１に記載の画像処理装置。
【請求項４】
前記画像処理部は、前記第１色の色相と前記第２色の色相との差分に基づいて、前記隣接領域の大きさを決定する、請求項３に記載の画像処理装置。
【請求項５】
前記第１線画像は、第１色を有する
前記第２線画像は、前記第１色とは異なる第２色を有し、
前記画像処理部は、前記画像処理として、前記重複部分を前記第１色と前記第２色との各々と異なる第３色に設定する、請求項１に記載の画像処理装置。
【請求項６】
前記第３色は、前記第１色と前記第２色とを混合した色である、請求項５に記載の画像処理装置。
【請求項７】
前記画像処理部は、前記重複部分の長さに応じて、前記画像処理の処理内容を変更する、請求項１から請求項６のいずれか１項に記載の画像処理装置。
【請求項８】
前記重複部分検出部は、両端を同色の２つの線画像で挟まれている画像領域を前記重複部分として検出する、請求項１から請求項７のいずれか１項に記載の画像処理装置。
【請求項９】
前記重複部分では、前記第１線画像と前記第２線画像とは平行である、請求項１から請求項８のいずれか１項に記載の画像処理装置。
【請求項１０】
前記第１線画像と前記第２線画像との各々は、一定の幅を有する、請求項１から請求項９のいずれか１項に記載の画像処理装置。
【発明の詳細な説明】
【技術分野】
【０００１】
本発明は、画像処理装置に関する。
【背景技術】
【０００２】
特許文献１に記載の画像処理装置では、入力画像の文字領域と絵柄領域とを識別する。特許文献１に記載の画像処理装置では、文字領域に含まれる文字を斜体化して、文字領域と絵柄領域とを視覚的に区別している。
【先行技術文献】
【特許文献】
【０００３】
【特許文献１】特開平５−１４３０５５号公報
【発明の概要】
【発明が解決しようとする課題】
【０００４】
読取画像（入力画像）には、複数の線画像が含まれることがある。複数の線画像が重なると、重なった線画像は途切れてしまい連続性が無くなる、したがって、複数の線画像が重なっていることを認識することが困難であった。
【０００５】
本発明は上記課題に鑑みてなされたものであり、その目的は、複数の線画像が重なった場合であっても、線画像の連続性が無くなることを抑制することができる画像処理装置を提供することにある。
【課題を解決するための手段】
【０００６】
本発明に係る画像処理装置は、画像読取部と、線画像検出部と、重複部分検出部と、画像処理部とを備える。前記画像読取部は、原稿の画像を読み取って読取画像を取得する。前記線画像検出部は、前記読取画像に含まれる複数の線画像を検出する。前記重複部分検出部は、前記複数の線画像のうち第１線画像と第２線画像との重複部分を検出する。前記画像処理部は、前記重複部分に対して画像処理を行う。
【発明の効果】
【０００７】
本発明によれば、複数の線画像が重なっていることを認識することができる。
【図面の簡単な説明】
【０００８】
【図１】本発明の実施形態に係る画像形成装置のブロック図である。
【図２】（ａ）および（ｂ）は、原稿を示す模式図である。
【図３】（ａ）〜（ｃ）は、画像処理された読取画像を示す模式図である。
【図４】本発明の実施形態に係る画像処理装置の画像処理方法を示すフローチャートである。
【図５】（ａ）および（ｂ）は、画像処理された読取画像を示す模式図である。
【図６】本発明の実施形態に係る画像処理装置の画像処理方法を示すフローチャートである。
【図７】画像処理された読取画像を示す模式図である。
【図８】本発明の実施形態に係る画像処理装置の画像処理方法を示すフローチャートである。
【図９】本発明の実施形態に係る画像処理装置の画像処理方法を示すフローチャートである。
【図１０】（ａ）および（ｂ）は、原稿を示す模式図である。（ｃ）および（ｄ）は、画像処理された読取画像を示す模式図である。
【発明を実施するための形態】
【０００９】
以下、本発明の実施形態について、図面を参照しながら説明する。なお、図中、同一または相当部分については同一の参照符号を付して説明を繰り返さない。
【００１０】
図１を参照して、本発明の実施形態に係る画像形成装置２００について説明する。図１は、本発明の実施形態に係る画像形成装置２００のブロック図である。
【００１１】
図１に示すように、画像形成装置２００は、画像処理装置１００と、画像形成部１１０とを備える。画像形成装置２００は、複写機、プリンター、ファクシミリまたはこれらの機能を兼ね備えた複合機であり得る。画像形成装置２００は、カラー複合機でもよいし、モノクロ複合機であってもよい。
【００１２】
画像処理装置１００は、画像を処理する。画像処理装置１００は、例えば、画像形成装置２００に搭載される。画像処理装置１００は、画像読取部１０と、制御部２０と、記憶部３０と、操作表示部４０とを有する。
【００１３】
画像読取部１０は、原稿の画像を読み取って読取画像を取得する。
【００１４】
制御部２０は、線画像検出部２２と、重複部分検出部２４と、画像処理部２６とを有する。制御部２０は、例えば、ＣＰＵ（Ｃｅｎｔｒａｌ  Ｐｒｏｃｅｓｓｉｎｇ  Ｕｎｉｔ）である。
【００１５】
線画像検出部２２は、読取画像に含まれる複数の線画像を検出する。線画像は、例えば、一定の幅を持った線を示す画像である。線画像は、例えば、直線または曲線である。複数の線画像は、第１線画像と、第２線画像とを含む。
【００１６】
重複部分検出部２４は、重複部分を検出する。重複部分は、第１線画像と第２線画像とが重複している部分を示す。
【００１７】
画像処理部２６は、重複部分に対して画像処理を行う。
【００１８】
記憶部３０は、例えば、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）である。ＲＯＭには、制御プログラムが格納されている。
【００１９】
操作表示部４０は、例えば、タッチパネルである。操作表示部４０は、ユーザーに画像処理装置１００を操作させるために用いられる。
【００２０】
画像形成部１１０は、画像処理装置１００によって画像処理された画像を被記録媒体に形成する。
【００２１】
画像処理装置１００において、画像処理部２６は、線画像が重なっている重複部分に対して画像処理を行う。したがって、線画像が重なっている部分において、線画像の連続性が無くなることを抑制することができる。
【００２２】
図１〜図３を参照して、本発明の実施形態に係る画像処理装置１００の画像処理方法について説明する。図２（ａ）および図２（ｂ）は、原稿Ｍを示す模式図である。図３（ａ）〜図３（ｃ）は、画像処理された読取画像Ｐを示す模式図である。図３において、長さｄ１は、重複部分ＲのＸ軸方向に沿った長さを示す。
【００２３】
図２（ａ）に示すように、原稿Ｍには、第１線画像Ｌ１と、第２線画像Ｌ２とが形成されている。詳しくは、原稿Ｍには、図２（ｂ）に示す第１線画像Ｌ１と、第２線画像Ｌ２とを重ね合わせた画像が形成されている。第１線画像Ｌ１は、Ｘ軸方向に延びた直線状である。第２線画像Ｌ２は、環状である。図２（ａ）に示すように、第１線画像Ｌ１は、第２線画像Ｌ２と重なるため、第１線画像Ｌ１の一部は、見ることができない。すなわち、原稿Ｍでは、第１線画像Ｌ１が途切れている。したがって、原稿Ｍを見ても、第２線画像Ｌ２がつながっていることは確認できるものの、第１線画像Ｌ１がつながっているのか否かは確認できない。
【００２４】
図２（ａ）に示すように、第１線画像Ｌ１が途切れている場合、画像処理装置１００は、第１線画像Ｌ１の連続性が保たれるように画像処理を行う。
【００２５】
図３（ａ）に示すように、画像読取部１０は、原稿Ｍの画像を読み取って読取画像Ｐを取得する。そして、線画像検出部２２は、読取画像Ｐに含まれる複数の線画像を検出する。本実施形態では、線画像検出部２２は、読取画像Ｐに含まれる第１線画像ＬＰ１と、第２線画像ＬＰ２とを検出する。第１線画像ＬＰ１は、原稿Ｍの第１線画像Ｌ１に対応する。第２線画像ＬＰ２は、原稿Ｍの第２線画像Ｌ２に対応する。第１線画像ＬＰ１と第２線画像ＬＰ２との各々は、一定の幅を有する。
【００２６】
第１線画像ＬＰ１は、第１色を有する。第２線画像ＬＰ２は、第２色をする。第１色と第２色とは異なる。第１色は、例えば、青色である。第２色は、例えば、赤色である。
【００２７】
図３（ｂ）に示すように、重複部分検出部２４は、重複部分Ｒを検出する。例えば、重複部分検出部２４は、両端を同色の２つの線画像で挟まれている画像領域を重複部分として検出する。本実施形態では、左の第１線画像ＬＰ１と右の第１線画像ＬＰ１とで挟まれている画像領域を、重複部分検出部２４は重複部分Ｒとして検出する。重複部分Ｒでは、第１線画像ＬＰ１と第２線画像ＬＰ２とは平行である。
【００２８】
画像処理部２６は、重複部分Ｒを第１領域Ｒ１と第２領域Ｒ２とに分割する。本実施形態では、画像処理部２６は、重複部分Ｒのうち上半分の領域を第１領域Ｒ１に設定し、重複部分Ｒのうち下半分の領域を第２領域Ｒ２に設定する。本実施形態は、第１領域Ｒ１の大きさと、第２領域Ｒ２の大きさとは等しい。なお、第１領域Ｒ１の大きさと、第２領域Ｒ２の大きさとは異なってもよい。
【００２９】
図３（ｃ）に示すように、画像処理部２６は、画像処理として、第１領域Ｒ１の色を第１色に設定するとともに、第２領域Ｒ２の色を第２色に設定する。本実施形態では、画像処理部２６は、画像処理として、重複部分Ｒの上半分の領域（Ｒ１）を青色に設定する。また、画像処理部２６は、画像処理として、重複部分Ｒの下半分の領域（Ｒ２）を赤色に設定する。したがって、第１線画像ＬＰ１と、第２線画像ＬＰ２とのいずれの線画像も視覚的に認識することができる。その結果、線画像が重なっている部分において、線画像の連続性が無くなることを抑制することができる。
【００３０】
図１〜図４を参照して、本発明の実施形態に係る画像処理装置１００の画像処理方法についてさらに説明する。図４は、本発明の実施形態に係る画像処理装置１００の画像処理方法を示すフローチャートである。図４に示すステップＳ１０２〜ステップＳ１１０の処理が実行されることによって、原稿Ｍを読み取った読取画像Ｐに対して画像処理が行われる。
【００３１】
ステップＳ１０２：画像読取部１０は、原稿Ｍの画像を読み取る。詳しくは、画像読取部１０は、原稿Ｍの画像を読み取って読取画像Ｐを取得する。処理は、ステップＳ１０４に進む。
【００３２】
ステップＳ１０４：重複部分検出部２４は、重複部分Ｒを検出する。処理は、ステップＳ１０６に進む。
【００３３】
ステップＳ１０６：画像処理部２６は、重複部分Ｒがあるか否かを判定する。画像処理部２６が、重複部分Ｒが無いと判定した場合（ステップＳ１０６：Ｎｏ）、処理は終了する。画像処理部２６が、重複部分Ｒがあると判定した場合（ステップＳ１０６：Ｙｅｓ）、処理は、ステップＳ１０８に進む。
【００３４】
ステップＳ１０８：重複部分Ｒを分割し、色分けする。詳しくは、画像処理部２６は、重複部分Ｒを第１領域Ｒ１と第２領域Ｒ２とに分割する。そして、画像処理部２６は、画像処理として、第１領域Ｒ１の色を第１色に設定するとともに、第２領域Ｒ２の色を第２色に設定する。処理は、ステップＳ１１０に進む。
【００３５】
ステップＳ１１０：画像形成部１１０は、画像処理装置１００によって画像処理された画像を被記録媒体に形成する。処理は、終了する。
【００３６】
以上、図１〜図４を参照して説明したように、画像処理装置１００において、画像処理部２６は、線画像が重なっている重複部分Ｒに対して画像処理を行う。したがって、線画像が重なっている部分において、線画像の連続性が無くなることを抑制することができる。
【００３７】
また、画像処理部２６は、重複部分Ｒを第１領域Ｒ１と第２領域Ｒ２とに分割する。そして、画像処理部２６は、画像処理として、第１領域Ｒ１の色を第１色に設定するとともに、第２領域Ｒ２の色を第２色に設定する。したがって、線画像が重なっている部分が色分けされる。その結果、線画像が重なっている部分において、線画像の連続性が無くなることを抑制することができる。
【００３８】
図１、図２および図５を参照して、本発明の実施形態に係る画像処理装置１００の画像処理方法を説明する。図５（ａ）および図５（ｂ）は、画像処理された読取画像Ｐを示す模式図である。図５（ａ）において、幅ｄ２は、重複部分Ｒの幅（Ｙ軸方向に沿った長さ）を示す。幅ｄ３は、隣接領域ＡＲの幅（Ｙ軸方向に沿った長さ）を示す。図１〜図４を参照して説明した画像処理方法とは、重複部分Ｒに対する画像処理の内容が異なる。図１〜図４を参照して説明した画像処理方法と重複する部分は説明を省略する。
【００３９】
図５（ａ）に示すように、画像処理部２６は、重複部分Ｒに隣接するように、隣接領域ＡＲを形成する。隣接領域ＡＲは、重複部分Ｒに沿って延びている。
【００４０】
図５（ｂ）に示すように、画像処理部２６は、画像処理として、重複部分Ｒを第１色または第２色のうちのいずれか一方の色に設定するとともに、隣接領域ＡＲを第１色または第２色のうちの他方の色に設定する。本実施形態では、画像処理部２６は、重複部分Ｒを赤色に設定する。また、隣接領域ＡＲを青色に設定する。したがって、第１線画像ＬＰ１と、第２線画像ＬＰ２とのいずれの線画像も認識することができる。その結果、線画像が重なっている部分において、線画像の連続性が無くなることを抑制することができる。
【００４１】
画像処理部２６は、第１色の色相と、第２色の色相との差分に基づいて、隣接領域ＡＲの大きさを決定してもよい。すなわち、第１線画像ＬＰ１の第１色と、第２線画像ＬＰ２の第２色とが似ているか否かによって、隣接領域ＡＲの大きさを決定してもよい。例えば、第１線画像ＬＰ１の第１色と、第２線画像ＬＰ２の第２色とが似ている場合、すなわち、第１色の色相と、第２色の色相との差分が小さい場合、隣接領域ＡＲを大きくする。一方、第１線画像ＬＰ１の第１色と、第２線画像ＬＰ２の第２色とが似ていない場合、すなわち、第１色の色相と、第２色の色相との差分が大きい場合、隣接領域ＡＲを小さくする。したがって、第１線画像ＬＰ１の第１色と、第２線画像ＬＰ２の第２色とが似ている場合は、第１線画像ＬＰ１の第１色と、第２線画像ＬＰ２の第２色とのうちの一方の色が大きくずれた位置に形成されるように画像処理が行われる。その結果、第１線画像ＬＰ１の第１色と、第２線画像ＬＰ２の第２色とが似ている場合であっても、視覚的に、線画像が重なっている部分において、線画像の連続性が無くなることを抑制することができる。
【００４２】
図１、図２、図５および図６を参照して、本発明の実施形態に係る画像処理装置１００の画像処理方法についてさらに説明する。図６は、本発明の実施形態に係る画像処理装置１００の画像処理方法を示すフローチャートである。図６に示すステップＳ２０２〜ステップＳ２１０の処理が実行されることによって、読取画像Ｐに対して画像処理が行われる。ステップＳ２０８の処理がステップＳ１０８の処理と異なる点を除いて、図６のフローチャートに示す画像処理方法は、図４のフローチャートに示す画像処理方法と同様の処理であるため、重複部分については説明を省略する。
【００４３】
ステップＳ２０８：画像処理部２６は、画像処理として、重複部分Ｒを第１色または第２色のうちのいずれか一方の色に設定するとともに、隣接領域ＡＲを第１色または第２色のうちの他方の色に設定する。処理はステップＳ２１０に進む。
【００４４】
以上、図１、図２、図５および図６を参照したように、画像処理として、重複部分Ｒを第１色または第２色のうちのいずれか一方の色に設定するとともに、隣接領域ＡＲを第１色または第２色のうちの他方の色に設定する。したがって、第１線画像ＬＰ１と、第２線画像ＬＰ２とのいずれの線画像も視覚的に認識することができる。その結果、線画像が重なっている部分において、線画像の連続性が無くなることを抑制することができる。
【００４５】
図１、図２および図７を参照して、本発明の実施形態に係る画像処理装置１００の画像処理方法を説明する。図７は、画像処理された読取画像Ｐを示す模式図である。図１〜図６を参照して説明した画像処理方法とは、重複部分Ｒに対する画像処理の内容が異なる。図１〜図６を参照して説明した画像処理方法と重複する部分は説明を省略する。
【００４６】
図７に示すように、画像処理部２６は、重複部分Ｒが存在する場合、画像処理として、重複部分Ｒを第３色に設定する。第３色は、第１色と第２色との各々と異なる。第３色は、第１色と第２色とを混合した色であることが好ましい。本実施形態では、画像処理部２６は、画像処理として、重複部分Ｒを第３色であるオレンジ色に設定する。オレンジ色は、第１色である青色と、第２色である赤色との混合色である。
【００４７】
図１、図２、図７および図８を参照して、本発明の実施形態に係る画像処理装置１００の画像処理方法についてさらに説明する。図８は、本発明の実施形態に係る画像処理装置１００の画像処理方法を示すフローチャートである。図８に示すステップＳ３０２〜ステップＳ３１０の処理が実行されることによって、原稿Ｍを読み取った読取画像Ｐに対して画像処理が行われる。ステップＳ３０８の処理がステップＳ１０８の処理と異なる点を除いて、図８のフローチャートに示す画像処理方法は、図４のフローチャートに示す画像処理方法と同様の処理であるため、重複部分については説明を省略する。
【００４８】
ステップＳ３０８：画像処理部２６は、画像処理として、重複部分Ｒを第３色に設定する。処理はステップＳ３１０に進む。
【００４９】
以上、図１、図２、図７および図８を参照したように、画像処理として、重複部分Ｒを第３色に設定する。したがって、重複部分Ｒにおいて、第１線画像ＬＰ１と、第２線画像ＬＰ２とが重なっていることを視覚的に認識することができる。その結果、線画像が重なっている部分において、線画像の連続性が無くなることを抑制することができる。
【００５０】
また、第３色は、第１色と第２色とを混合した色であることが好ましい。したがって、第１色を有する第１線画像ＬＰ１と、第２色を有する第２線画像ＬＰ２とが、重複部分Ｒにおいて重なっていることを視覚的に確認することができる。
【００５１】
画像処理部２６は、重複部分Ｒの長さに応じて、画像処理の処理内容を変更してもよい。
【００５２】
図１、図２、図３、図７および図９を参照して、本発明の実施形態に係る画像処理装置１００の画像処理方法について説明する。図９は、本発明の実施形態に係る画像処理装置１００の画像処理方法を示すフローチャートである。図９に示すステップＳ４０２〜ステップＳ４１４の処理が実行されることによって、読取画像Ｐに対して画像処理が行われる。重複部分Ｒの長さに応じて、画像処理の処理内容を変更する点を除いて、図９のフローチャートに示す画像処理方法は、図４および図８のフローチャートに示す画像処理方法と同様の処理であるため、重複部分については説明を省略する。
【００５３】
ステップＳ４０２：画像読取部１０は、原稿Ｍの画像を読み取る。詳しくは、画像読取部１０は、原稿Ｍの画像を読み取って読取画像Ｐを取得する。処理は、ステップＳ４０４に進む。
【００５４】
ステップＳ４０４：重複部分検出部２４は、重複部分Ｒを検出する。処理は、ステップＳ４０６に進む。
【００５５】
ステップＳ４０６：画像処理部２６は、重複部分Ｒがあるか否かを判定する。画像処理部２６が、重複部分Ｒが無いと判定した場合（ステップＳ４０６：Ｎｏ）、処理は終了する。画像処理部２６が、重複部分Ｒがあると判定した場合（ステップＳ４０６：Ｙｅｓ）、処理は、ステップＳ４０８に進む。
【００５６】
ステップＳ４０８：画像処理部２６は、重複部分Ｒの長さｄ１（図３（ｂ）参照）が所定の長さ以上であるか否かを判定する。重複部分Ｒの長さｄ１が、所定の長さ以上でないと判定した場合（ステップＳ４０８：Ｎｏ）、処理は、ステップＳ４１２に進む。重複部分Ｒの長さｄ１が、所定の長さ以上であると判定した場合（ステップＳ４０８：Ｙｅｓ）、処理は、ステップＳ４１０に進む。
【００５７】
ステップＳ４１０：重複部分Ｒを分割し、色分けする。詳しくは、画像処理部２６は、重複部分Ｒを第１領域Ｒ１と第２領域Ｒ２とに分割する。そして、画像処理部２６は、画像処理として、第１領域Ｒ１の色を第１色に設定するとともに、第２領域Ｒ２の色を第２色に設定する。処理は、ステップＳ４１４に進む。
【００５８】
ステップＳ４１２：画像処理部２６は、画像処理として、重複部分Ｒを第１色または第２色のうちのいずれか一方の色に設定するとともに、隣接領域ＡＲを第１色または第２色のうちの他方の色に設定する。処理はステップＳ４１４に進む。
【００５９】
ステップＳ４１４：画像形成部１１０は、画像処理装置１００によって画像処理された画像を被記録媒体に形成する。処理は、終了する。
【００６０】
以上、図１、図２、図３、図７および図９を参照して説明したように、画像処理部２６は、重複部分Ｒの長さｄ１に応じて、画像処理の処理内容を変更する。したがって、線画像が重なっている部分において、線画像の連続性が無くなることを抑制することができる。
【００６１】
図１〜図９を参照して説明した画像処理方法では、第１線画像ＬＰ１の幅と第２線画像ＬＰ２の幅とは同じであったが、第１線画像ＬＰ１の幅と第２線画像ＬＰ２の幅とは異なっていてもよい。
【００６２】
図１および図１０を参照して、本発明の実施形態に係る画像処理装置１００の画像処理方法を説明する。図１０（ａ）および図１０（ｂ）は、原稿Ｍを示す模式図である。図１０（ｃ）および図１０（ｄ）は、画像処理された読取画像Ｐを示す模式図である。図１０（ｂ）において、幅ｄ６は、第１線画像Ｌ１の幅である。幅ｄ７は、第２線画像Ｌ２の幅である。図１０（ｃ）において、幅ｄ８は、第１線画像ＬＰ１の幅である。幅ｄ９は、第２線画像ＬＰ２の幅である。図１〜図９を参照して説明した画像処理方法とは、第１線画像ＬＰ１の幅と第２線画像ＬＰ２の幅とが異なる点で異なる。図１〜図９を参照して説明した画像処理方法と重複する部分は説明を省略する。
【００６３】
図１０（ａ）は、原稿Ｍを示す。原稿Ｍには、第１線画像Ｌ１と、第２線画像Ｌ２とが形成されている。詳しくは、原稿Ｍには、図１０（ｂ）に示す第１線画像Ｌ１と、第２線画像Ｌ２とを重ね合わせた画像が形成されている。第１線画像Ｌ１と第２線画像Ｌ２とは、Ｘ軸方向に延びた直線状である。幅ｄ７は、幅ｄ６よりも大きい。
【００６４】
図１０（ｃ）に示すように、重複部分検出部２４は、重複部分Ｒを検出する。幅ｄ９は、幅ｄ８よりも大きい。
【００６５】
図１０（ｄ）に示すように、画像処理部２６は、画像処理として、重複部分Ｒを第３色に設定する。第３色は、第１色と第２色との各々と異なる。第３色は、第１色と第２色とを混合した色であることが好ましい。本実施形態では、画像処理部２６は、画像処理として、重複部分Ｒを第３色であるオレンジ色に設定する。オレンジ色は、第１色である青色と、第２色である赤色との混合色である。
【００６６】
以上、図面（図１〜図１０）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６７】
図１〜図１０を参照して説明したように、画像処理部２６は、２本の線画像の重複部分Ｒに対して画像処理を行っていたが、本発明はこれに限定されない。例えば、画像処理部２６は、３本以上の線画像の重複部分Ｒに対して画像処理を行ってもよい。
【符号の説明】
【００６８】
１０      画像読取部
２２      線画像検出部
２４      重複部分検出部
２６      画像処理部
１００    画像処理装置
ＡＲ      隣接領域
ＬＰ１    第１線画像
ＬＰ２    第２線画像
Ｍ        原稿
Ｐ        読取画像
Ｒ        重複部分
Ｒ１      第１領域
Ｒ２      第２領域
【図１】
2019101599.tif 000003
【図２】
2019101599.tif 000004
【図３】
2019101599.tif 000005
【図４】
2019101599.tif 000006
【図５】
2019101599.tif 000007
【図６】
2019101599.tif 000008
【図７】
2019101599.tif 000009
【図８】
2019101599.tif 000010
【図９】
2019101599.tif 000011
【図１０】
2019101599.tif 000012